(57)【要約】      （修正有） 【課題】小型で持ち運びでき、しかも構造が簡単で使用便宜であり、故障が少なく且つ必要に応じて反転使用するだけで、骨盤に対する加圧調整が実行できる骨盤クッションを提供する。【解決手段】厚みの薄い平坦状の中央座部１と、中央座部１の延長線上に連続状に配備される左右一対のサポート部２，２ａとからなり、サポート部２，２ａは厚みの大きい扁平な円柱状で中央座部１を床面から遊離させる膨出下周部と、中央座部の押し下げで内向きに立ち上がり骨盤を挟圧する膨出上周部とを備えることを特徴とする。【選択図】図１
0003184239.tif 000002
【実用新案登録請求の範囲】
【請求項１】
厚みの薄い平坦状の中央座部と、中央座部の延長線上に連続状に配備される左右一対のサポート部とからなり、サポート部は厚みの大きい扁平な円柱状で、床面に接面して中央座部を床面から遊離させる膨出下周部と、中央座部の押し下げで内向きに立ち上がり骨盤を挟圧する膨出上周部とを備えることを特徴とする骨盤クッション。
【請求項２】
前記中央座部と左右一対のサポート部は、一方の周部を被うカバーを伸縮性カバー体とし、他方の周部を被うカバーを非伸縮性カバー体に設定し、反転使用でサポート部の内向き立ち上がり角度を変位させることを特徴とする請求項１記載の骨盤クッション。
【請求項３】
前記左右一対のサポート部の内部に配備されるクッション充填材は、低反発ウレタンチップであることを特徴とする請求項１または請求項２記載の骨盤クッション。
【考案の詳細な説明】
【技術分野】
【０００１】
この考案は、骨盤を引き締める骨盤クッションに関する
【背景技術】
【０００２】
図５は、従来の骨盤クッションを示す説明図である。
この骨盤クッションは、クッション製平坦状中央座部５１の左右両側に、この中央座部５１に連続する左右一対のクッション製立上りサポート部５２、５２ａを備える。
【０００３】
中央座部５１を構成する基板フレーム５３と、立上りサポート部５２、５２ａを構成するサイドフレーム５４、５４ａとは、ラチェットギヤ５５、５５ａで連結している。この連結部５５、５５ａにより、中央座部５１に対し左右の立上りサポート部５２、５２ａを角度調整可変に設定している。
【０００４】
この骨盤クッションでは、予め、角度可変手段（ラチェットギヤ）５５、５５ａにより、中央座部５１に対し左右の立上りサポート部５２、５２ａの内向き角度を調整したのち中央座部５１に座る。
【０００５】
中央座部５１に座った臀部Ｂの左右両側を左右の立上りサポート部５２、５２ａが抱き込み状に内向きに挟圧し、骨盤を引き締める。
【特許文献１】登録実用新案第３１７４５１０号公報
【考案の開示】
【考案が解決しようとする課題】
【０００６】
この骨盤クッションでは、内部のフレームによって中央座部に対し左右のサポート部が略垂直状に立上がる状態が支持された所謂座椅子状で嵩張り、構造が複雑である。
【０００７】
また、中央座部とサポート部のフレームは、ラチェットギヤを介して連繋させ、サポート部の内向き角度を段階的に変位させる機構であるため、使用に際し予め角度調整が必要で、煩瑣で使用がってが悪い。
【０００８】
更に、内装するクッション材がウレタンフォームである。したがって、軽量な反面、加圧作用が弱く、長年使用により弾性を失う虞れがあり、製品寿命が短い。
【０００９】
この考案は、以上のような課題を解消させ、小型で持ち運びができ、しかも構造が簡単で使用便宜であり、故障が少なくかつ必要に応じて反転使用するだけで、骨盤に対する加圧調整が実行できる骨盤クッションを提供する。
【課題を解決するための手段】
【００１０】
この目的を達成させるために、この考案の骨盤クッションは次のような構成としている。
骨盤クッションは、厚みの薄い平坦状の中央座部と、中央座部の延長線上に連続状に配備される左右一対のサポート部とからなり、サポート部は厚みの大きい扁平な円柱状で，床面に接面して中央座部を床面から遊離させる膨出下周部と、中央座部の押し下げで内向きに立ち上がり骨盤を挟圧する膨出上周部とを備えることを特徴とする。
【考案の効果】
【００１１】
この考案では以上のように、常態において、中央座部と左右一対のサポート部が床面に対し平行する平坦状で、且つ中央座部を床面に対し浮き上り状に配備することとしたから、座ると中央座部に加わる押圧力で左右のサポート部が内向きに立ち上がり、臀部を挟圧して骨盤を引き締める。
【００１２】
更に、中央座部と左右一対のサポート部は、一方の周部を伸縮性カバー体とし、他方の周部を非伸縮性カバー体としたから、伸縮性カバー体を上側として使用するときサポート部の立上り角度が小さく、非伸縮性カバー体を上側として使用するときはサポート部の立上り角度を大きくなるから、単にクッションを反転使用することで骨盤引き締め圧を選択できる。
【００１３】
また、左右一対のサポート部のクッション充填材は、低反発ウレタンチップを配備しているから，臀部（骨盤）に対する緩衝力があり、且つ重量がある分、挟圧力が大きく、且つ弾性力のヘタレも少なく、構造簡単で故障も少ない。
【考案を実施するための最良の形態】
【００１４】
以下、図面に基づき本考案に係る骨盤クッションの具体的な実施の形態を説明する。
図１は、骨盤クッションを示す斜視図である。
骨盤クッションＡは、平面形状が略矩形状で厚みの薄い中央座部１と、中央座部１の両側に延長線上に連続する扁平な略円柱状の左右一対のサポート部２、２ａと、表面を被うカバー部３とから成る。
【００１５】
中央座部１は、図２の断面図で示すように、シート状芯体１１と、シート状芯体１１の上下面に載置するクッションシート１２、１２とから成り３層の厚みの薄い板状体であり、表面全体が後述するカバー部３（３１、３２）で被覆してある。
【００１６】
実施の形態では、シート状芯体１１はシート状の合成樹脂体で、例えば発泡ポリエチレンシートであり、同様にクッションシート１２、１２はウレタンシートを採用している。
【００１７】
上記左右一対のサポート部２、２ａは、扁平な略円柱体形状で、図２の断面図で示すとおり、クッション充填材（低反発ウレタンチップ）２１と、クッション充填材２１の下側に配備されるシート状芯体（発泡ポリエチレンシート）２３と、シート状芯体２３の下側に配備される下側クッションシート（ウレタンシート）２４と、上記クッション充填材２１の上側に配備される上側クッションシート（ウレタンシート）２２の４層から成る厚みの大きい扁平な円柱体であり、表面全体が後述するカバー部３（３１、３２）で被覆してある。
【００１８】
カバー部３は、実施の形態では布製で、図２の断面図で示すように左右サポート部２、２ａの一方の周部（上半周部）と、中央座部１の上側クッションシート１２を被う伸縮性カバー体３１と、左右サポート部２、２ａの他方の周部（下半周部）と、中央座部１の下側クッションシート１３を被う非伸縮性カバー体３２とから成る。
【００１９】
カバー部３は、合成繊維織物或いは混紡織物製で、伸縮性カバー体３１は弾力性と伸縮性を有するメッシュ地（例えばトリコット等）が採用され、非伸縮性カバー体３２は伸縮しない紡毛（起毛）地（例えば本ネル等）が採用される。
【００２０】
図１で示すように、上記厚みの小さい中央座部１と、厚みの大きい左右サポート部２、２ａの厚み仮想中心は、一直線上に配備され、中央座部１と左右サポート部２、２ａの外周縁が、伸縮性カバー体３１と非伸縮性カバー体３２を重合した状態で、縁取り部３４で一体に縫着固定してある。
【００２１】
更に、中央座部１と、左右サポート部２、２ａとの隣り合う接合部は、図１で示すように上下カバー部（伸縮性カバーと非伸縮性カバー）３１、３２を重合した状態で縫着（縫着線３３）固定してある。この結果、常態において、左右サポート部２、２ａの膨出下周部２Ａ、２Ａが床面Ｘに接面することで、中央座部１が床面Ｘより一定高さ浮き上り状に設定される。
【００２２】
このような構成を有する骨盤クッションでは、図１の斜視図及び図２の断面図で示すように、常態において、中央座部１及び一連の左右サポート部２，２ａが床面に対し平行の平坦状で、且つ中央座部１のみが床面Ｘから一定高さ遊離している。
【００２３】
図３は、カバー部３、すなわち非伸縮性カバー体３２を上側にして床面に載置した場合の使用状態を示す説明図である。中央座部１に座ると、臀部Ｂによって中央座部１が降下し床面Ｘに接面する。
【００２４】
この押圧圧縮力で、左右のサポート部２、２ａが内方向へ立ち上がる。下側の伸縮性カバー体３１は引っ張られて伸びる一方、上側の非伸縮性カバー部３２は伸びない。
【００２５】
図３で示すように（太い一点鎖線）内向き立ち上がり角度が大きくなり、且つ、左右サポート部２、２ａの充填材が低反発ウレタンチップ２１で重量があり且つ緩衝力があることと相俟って、痛みなく骨盤に対する挟圧力が作用し、骨盤が強く引き締められる。
【００２６】
図４は、クッション体Ａを反転させ、伸縮性カバー体３１が上側となる状態に選択使用した場合を示す説明図である。中央座部１に座ると、臀部Ｂによって上記同様に中央座部１が降下し床面Ｘに接面する。
【００２７】
この押圧圧縮力で、左右のサポート部２、２ａが内方向へ立ち上がる。左右サポート部２、２ａの下側に位置する非伸縮性カバー体３２は内向きにかかる引っ張り力に抗して伸びず、上側の伸縮性カバー部３１の伸びも小さく、内向き立ち上がり角度が小さくなり、図４の太い一点鎖線で示すように、挟圧力は小さく引き締めが弱くなる。
【００２８】
かくして、クッションＡの表裏を反転させ、カバー部３の伸縮性カバー体３１と非伸縮性カバー体３２とを選択使用することで、骨盤引き締め力の大小を選択使用し得る。
【図面の簡単な説明】
【００２９】
【図１】実施の形態の骨盤クッション示す斜視図である。
【図２】骨盤クッションを示す断面図である。
【図３】非伸縮性カバー体を上側に使用する状態を示す説明図である。
【図４】伸縮性カバー体を上側に使用する状態を示す説明図である。
【図５】従来の骨盤クッションを示す説明図である。
【符号の説明】
【００３０】
１      中央座部
２      サポート部
２ａ    サポート部
３      カバー部
１１    シート状芯体
１２    上側クッションシート
１３    下側クッションシート
２１    クッション充填材
２２    上側クッションシート
２３    シート状芯体
２４    下側クッションシート
３１    伸縮性カバー体
３２    非伸縮性カバー体
３３    縫着部（縫着線）
３４    縁取り部
２Ａ    膨出下周部
２Ｂ    膨出上周部
Ａ      骨盤クッション
Ｂ      身体臀部  
Ｘ      床面
【図１】
0003184239.tif 000003
【図２】
0003184239.tif 000004
【図３】
0003184239.tif 000005
【図４】
0003184239.tif 000006
【図５】
0003184239.tif 000007